(57)【要約】      （修正有）【課題】建設用仮設足場の設置後に、簡易な構造で、ジャッキ部に歩行者や作業者等がぶつかるのを防止することができる建設用仮設足場の保護材を提供する。【解決手段】建設用仮設足場の保護材１０Ａは、設置された建設用仮設足場１００Ａの柱状部材１０１の基端部を覆う保護材本体２０Ａを有している。保護材本体２０Ａは、上開口部２１と、下開口部と、上開口部２１と下開口部とを連絡する開閉可能な本体スリット２４とを有している。このため、本体スリット２４を拡げることにより、建設用仮設足場１００Ａの設置後に、建設用仮設足場の保護材１０Ａを取り付けることができ、簡易な構造で、柱状部材１０１の下端部に設けられているジャッキ部１０２に歩行者や作業者等がぶつかるのを防止することができる。【選択図】図１
0003213015.tif 000002
【実用新案登録請求の範囲】
【請求項１】
載置面に設置された建設用仮設足場の柱状部材の基端部を覆う全体円錐台形状の保護材本体を有し、
前記保護材本体は、
上端面に設けられた上開口部と、
下端面に設けられた下開口部と、
前記上開口部と前記下開口部とを連絡する本体スリットと、を有し、
前記本体スリットが開閉可能である建設用仮設足場の保護材。
【請求項２】
請求項１に記載の建設用仮設足場の保護材において、
前記本体スリットを閉じた状態で保持する保持部材を有する建設用仮設足場の保護材。
【請求項３】
請求項１又は請求項２に記載の建設用仮設足場の保護材において、
前記下開口部の外側に設けられた円形の鍔部と、
前記鍔部の下側に当該鍔部よりも大きなベース部と、を有し、
前記本体スリットは、前記鍔部及び前記ベース部にも連続して設けられている建設用仮設足場の保護材。
【請求項４】
請求項１から請求項３のうちのいずれか１項に記載の建設用仮設足場の保護材において、
前記保護材本体の側面に、前記建設用仮設足場の水平部材が貫通可能な貫通孔を有する建設用仮設足場の保護材。
【請求項５】
請求項４に記載の建設用仮設足場の保護材において、
前記貫通孔が、前記本体スリットに設けられている建設用仮設足場の保護材。
【請求項６】
請求項１から請求項５のうちのいずれか１項に記載の建設用仮設足場の保護材において、
前記保護材本体の側面に、前記建設用仮設足場の水平部材が貫通可能な別の貫通孔であって前記本体スリットとは別個に設けた別の貫通孔を有し、
前記別の貫通孔と前記下開口部とを連絡する水平部材用スリットを設けた建設用仮設足場の保護材。
【請求項７】
請求項１から請求項６のうちのいずれか１項に記載の建設用仮設足場の保護材において、
前記保護材本体は、ロードコーンを用いて形成されている建設用仮設足場の保護材。
【考案の詳細な説明】
【技術分野】
【０００１】
本考案は、建設用仮設足場の保護材に関する。
【背景技術】
【０００２】
従来、工事現場においては、墜落事故や転落事故を防止して作業の安全性を高める目的で建設用仮設足場が用いられている。建設用仮設足場は、複数の単管（鉄パイプ）をクランプ（金具）で接続して枠状に組み立てられており、床板を渡して形成されている（例えば、特許文献１参照）。
【０００３】
また、前述したような建設用仮設足場は、強固で重量が大きな金属製の部材が用いられているため、作業者がクランプにぶつかって怪我したり、建設用仮設足場が歩道等の通路に面している場合には、歩行者がクランプ等にぶつかったりする虞があるため、クランプにカバーを取り付けて作業者や歩行者の保護を図っている（例えば、特許文献２及び特許文献３参照）。
【先行技術文献】
【特許文献】
【０００４】
【特許文献１】実開昭６３−３４２３８号公報
【特許文献２】特許第４００４８９８号公報
【特許文献３】実用新案登録第３０２５３５３号公報
【考案の概要】
【考案が解決しようとする課題】
【０００５】
前述したような建設用仮設足場には、建設用仮設足場を載置場所に支持する柱部材の下端部に、建設用仮設足場を水平に保つために使用されるジャッキ部を有するものがある。従来、このような建設用仮設足場においては、建設用仮設足場の設置後に、ジャッキ部の上方の柱部材にクッション材を巻き付けて保護することが行われているが、ジャッキ部は露出しているのが一般的である。
このため、金属製のジャッキ部に歩行者や作業者等がぶつかると、怪我をする虞があるという問題があった。
【０００６】
本考案は、従来の問題を解決するためになされたもので、建設用仮設足場の設置後に、簡易な構造で、ジャッキ部に歩行者や作業者等がぶつかるのを防止することができる建設用仮設足場の保護材を提供することを目的とする。
【課題を解決するための手段】
【０００７】
（１）本願考案に係る１つの態様は、載置面に設置された建設用仮設足場の柱状部材の基端部を覆う全体円錐台形状の保護材本体を有し、前記保護材本体は、上端面に設けられた上開口部と、下端面に設けられた下開口部と、前記上開口部と前記下開口部とを連絡する本体スリットと、を有し、前記本体スリットが開閉可能であることを特徴とする建設用仮設足場の保護材を提供する。
【０００８】
（２）上記（１）に記載の建設用仮設足場の保護材において、前記本体スリットを閉じた状態で保持する保持部材を有するものであってもよい。
【０００９】
（３）また、上記（１）又は（２）に記載の建設用仮設足場の保護材において、前記下開口部の外側に設けられた円形の鍔部と、前記鍔部の下側に当該鍔部よりも大きなベース部と、を有し、前記本体スリットは、前記鍔部及び前記ベース部にも連続して設けられているものであってもよい。
【００１０】
（４）また、上記（１）から（３）のうちのいずれか１つに記載の建設用仮設足場の保護材において、前記保護材本体の側面に、前記建設用仮設足場の水平部材が貫通可能な貫通孔を有するものであってもよい。
【００１１】
（５）また、上記（４）に記載の建設用仮設足場の保護材において、前記貫通孔が、前記本体スリットに設けられているものであってもよい。
【００１２】
（６）また、上記（１）から（３）のうちのいずれか１つに記載の建設用仮設足場の保護材において、前記保護材本体の側面に、前記建設用仮設足場の水平部材が貫通可能な別の貫通孔であって前記本体スリットとは別個に設けた別の貫通孔を有し、前記別の貫通孔と前記下開口部とを連絡する水平部材用スリットを設けたものであってもよい。
【００１３】
（７）さらに、上記（１）から（６）のうちのいずれか１つに記載の建設用仮設足場の保護材において、前記保護材本体は、ロードコーンを用いて形成されているものであってもよい。
【考案の効果】
【００１４】
本考案は、建設用仮設足場の設置後に、簡易な構造で、歩行者や作業者等がジャッキ部にぶつかるのを防止することができるという効果を有する建設用仮設足場の保護材を提供できる。
【図面の簡単な説明】
【００１５】
【図１】本考案に係る第１実施形態の建設用仮設足場の保護材の斜視図である。
【図２】（Ａ）は本考案に係る第１実施形態の建設用仮設足場の保護材の正面図であり、（Ｂ）は平面図である。
【図３】本考案に係る第１実施形態の建設用仮設足場の保護材を取り付ける状態を示す斜視図である。
【図４】本考案に係る第２実施形態の建設用仮設足場の保護材の斜視図である。
【図５】（Ａ）は本考案に係る第２実施形態の建設用仮設足場の保護材を図４中矢印Ｖ方向から見た正面図であり、（Ｂ）は平面図である。
【図６】（Ａ）は本考案に係る第３実施形態の建設用仮設足場の保護材の正面図であり、（Ｂ）は平面図である。
【図７】本考案に係る第４実施形態の建設用仮設足場の保護材の斜視図である。
【図８】（Ａ）は本考案に係る第４実施形態の建設用仮設足場の保護材を図７中矢印Ａ方向から見た正面図であり、（Ｂ）は図７中矢印Ｂ方向から見た背面図であり、（Ｃ）は平面図である。
【図９】（Ａ）は本考案に係る第５実施形態の建設用仮設足場の保護材の正面図であり、（Ｂ）は保持部材の正面図であり、（Ｃ）は平面図である。
【図１０】本考案に係る第６実施形態の建設用仮設足場の保護材を取り付ける状態を示す斜視図である。
【考案を実施するための形態】
【００１６】
（第１実施形態）
以下、本考案に係る第１実施形態の建設用仮設足場の保護材について、図面を用いて説明する。図１は、本考案に係る第１実施形態の建設用仮設足場の保護材の斜視図である。また、図２（Ａ）は本考案に係る第１実施形態の建設用仮設足場の保護材の正面図であり、図２（Ｂ）は平面図である。
なお、以下の説明においては、図１に示すように、建設用仮設足場の保護材１０Ａの使用時における上方を「上」とし、下方を「下」として説明する。
【００１７】
図１及び図２に示すように、第１実施形態の建設用仮設足場の保護材１０Ａは、建設用仮設足場１００Ａの柱状部材１０１の下端部にジャッキ部１０２が設けられている場合に、ジャッキ部１０２を保護するのに用いることができる。
【００１８】
建設用仮設足場の保護材１０Ａは、柱状部材１０１の基端部を覆う全体円錐台形状の保護材本体２０Ａを有する。保護材本体２０Ａは樹脂製の薄肉で形成されており、内部は空洞となっている。保護材本体２０Ａは、上端には上開口部２１を有しており、下端には下開口部２２（図３参照）を有する。上開口部２１と下開口部２２とは、側面２３に設けられた本体スリット２４により、連結されている。
【００１９】
建設用仮設足場の保護材１０Ａの側面２３には、本体スリット２４を略直交方向に跨いで保持部材２６が設けられている。保持部材２６は、本体スリット２４の左右両側を接合するものであり、例えば、マジックテープ（登録商標）２７を用いることができる。すなわち、図２（Ａ）に示すように、本体スリット２４の一方の側にループ部２７１を固定し、他方の側にフック部２７２の一端を固定しておき、フック部２７２の他端部をループ部２７１に接続することにより、本体スリット２４を閉じた状態に保持することができる。マジックテープ（登録商標）２７は、例えば保護材本体２０Ａの上部及び下部の２か所に設けることができる。
【００２０】
また、保護材本体２０Ａの下側には、円柱状の鍔部２５が設けられていてもよい。鍔部２５の下側には、鍔部２５より大きい正方形状のベース部２８が設けられている。鍔部２５及びベース部２８も樹脂製の薄肉で形成されており、内部は空洞となっている。本体スリット２４は、鍔部２５及びベース部２８にも連続して設けられている。
したがって、本体スリット２４は開閉可能となっており、本体スリット２４を開くことにより、建設用仮設足場の保護材１０Ａの内部空間が露出する。
【００２１】
また、建設用仮設足場の保護材１０Ａを設置する際に、転倒防止用の例えば厚くて重量のあるゴム製の錘４１を用いることができる。錘４１は、中央に円形の切欠き４１１（図２（Ｂ）参照）が設けられており、鍔部２５の外側に設置することができる。これにより、設置された建設用仮設足場の保護材１０Ａが、強風やいたずらによって飛ばされたり転倒したりするのを防止することができる。
【００２２】
次に、本実施形態の建設用仮設足場の保護材１０Ａの製造方法について説明する。
建設用仮設足場の保護材１０Ａは、既存のロードコーンを用いて製造することができる。図２（Ａ）に示すように、ロードコーン４０（図２（Ａ）において破線で表示）は、半球状の頂部４３を有しており、円錐台形状の側面２３（保護材本体２０Ａの側面２３と共通）を有する。また、下端部には、鍔部２５及びベース部２８を有しており、内部には空洞を有する。なお、ここでは、鍔部２５を有する場合を示しているが、鍔部２５を有しない場合も同様である。
【００２３】
まず、ロードコーン４０の頂部４３（図２（Ａ）中破線部分）を水平に切断して、上開口部２１を設ける。このとき、上開口部２１が、貫通する柱状部材１０１の外径よりも大きくなるように切断位置を調整する。続いて、上開口部２１と下開口部２２との間を上下方向に直線的に切断して、本体スリット２４を設ける。このとき、鍔部２５及びベース部２８も連続して切断するが、ベース部２８の幅が最も狭い位置（図１及び図２（Ｂ）に示す位置）で切断すると、本体スリット２４を拡げやすくなるので望ましい。そして、側面２３における本体スリット２４の一方の側にマジックテープ（登録商標）２７のループ部２７１を接着剤で固定し、他方の側にフック部２７２の一端を接着剤で固定する。
【００２４】
これにより、保護材本体２０Ａが形成され、マジックテープ（登録商標）２７を切り離すことにより本体スリット２４を開閉することが可能になる。また、マジックテープ（登録商標）２７を接続することにより、本体スリット２４を閉じた状態に保持することができる。
【００２５】
また、ベース部２８の上に錘４１を用いる場合には、錘４１にも切れ目４２を設けて、切れ目４２を開くことができるようにする。切れ目４２の位置は、本体スリット２４の位置とは無関係に設定することができる。又は、錘４１を二分割して（すなわち、切れ目４２を２か所に設けて）、保護材本体２０Ａを両側から挟むようにしてベース部２８の上に載せるようにすることも可能である。
【００２６】
次に、建設用仮設足場の保護材１０Ａの設置方法について説明する。
図３に示すように、マジックテープ（登録商標）２７のループ部２７１とフック部２７２を切り離した状態で、保護材本体２０Ａの本体スリット２４を開き、本体スリット２４を柱状部材１０１に通す（図３中矢印Ａ参照）。柱状部材１０１が保護材本体２０Ａの上開口部２１及び下開口部２２を貫通したら、柱状部材１０１に沿って下降させて（図３中矢印Ｂ参照）、ジャッキ部１０２を覆う。次いで、本体スリット２４を閉じて、マジックテープ（登録商標）２７を接続する。
【００２７】
そして、建設用仮設足場の保護材１０Ａを載置面１０３に載置した後に、錘４１をベース部２８の上に載置する（図３中矢印Ｃ参照）。なお、図３においては、錘４１は、二分割された分割錘４１ａの合わせ面４４を合わせたものであり、分割錘４１ａを合わせて得た錘４１を被せる場合を示しているが、錘４１の一か所に切れ目を設けている場合には、保護材本体２０Ａと同様に、切れ目を開いて柱状部材１０１を通し、柱状部材１０１に沿って下降させることによりベース部２８の上に設置する。
【００２８】
次に、本考案の第１実施形態の建設用仮設足場の保護材１０Ａの作用効果について説明する。
図１に示すように、本実施形態の建設用仮設足場の保護材１０Ａは、載置面１０３に設置された建設用仮設足場１００Ａの柱状部材１０１の基端部を覆う全体円錐台形状の保護材本体２０Ａを有している。この保護材本体２０Ａは、上端に設けられた上開口部２１と、下端に設けられた下開口部２２と、上開口部２１と下開口部２２とを連絡する開閉可能な本体スリット２４とを有している。
【００２９】
このため、本体スリット２４を拡げて柱状部材１０１に取り付けることにより、柱状部材１０１は上開口部２１及び下開口部２２を貫通するので、建設用仮設足場１００Ａの設置後に、簡易な構造で、歩行者や作業者等がジャッキ部１０２にぶつかるのを防止する建設用仮設足場の保護材１０Ａを設置することができる。
【００３０】
また、本実施形態の建設用仮設足場の保護材１０Ａは、本体スリット２４を閉じた状態で保持する保持部材２６を有する。このため、本体スリット２４を開いて保護材本体２０Ａを柱状部材１０１に取り付けた後に、保持部材２６により本体スリット２４を閉じた状態で保持することができるので、取り付け後に建設用仮設足場の保護材１０Ａが柱状部材１０１から脱落するのを防止することができる。
【００３１】
また、本実施形態の建設用仮設足場の保護材１０Ａは、下開口部２２の外側に設けられた円形の鍔部２５と、鍔部２５の下側に鍔部２５よりも大きなベース部２８と、を有しており、本体スリット２４は、鍔部２５及びベース部２８にも連続して設けられている。
このため、本体スリット２４を開くことにより、保護材本体２０Ａを開くことができ、設置後の建設用仮設足場１００Ａに、建設用仮設足場の保護材１０Ａを容易に取り付けることができる。
【００３２】
また、本実施形態の建設用仮設足場の保護材１０Ａでは、保護材本体２０Ａが既存のロードコーンを用いて形成されているので、簡単に且つ安価に製造することができる。
【００３３】
（第２実施形態）
次に、本考案に係る第２実施形態の建設用仮設足場の保護材について、図面を用いて説明する。図４は本考案に係る第２実施形態の建設用仮設足場の保護材の斜視図であり、図５（Ａ）は本考案に係る第２実施形態の建設用仮設足場の保護材を図４中矢印Ｖ方向から見た正面図であり、図５（Ｂ）は平面図である。なお、以下の説明においては、前述した第１実施形態の建設用仮設足場の保護材１０Ａと共通する部位には同じ符号を付して、重複する説明を省略することとする。
【００３４】
図４及び図５に示すように、第２実施形態の建設用仮設足場の保護材１０Ｂは、柱状部材１０１の下端部に設けられているジャッキ部１０２の上側に１本の水平部材１０４が設けられている建設用仮設足場１００Ｂにおいて、ジャッキ部１０２を保護するのに用いることができる。
【００３５】
建設用仮設足場の保護材１０Ｂは、柱状部材１０１の基端部を覆う全体円錐台形状の保護材本体２０Ｂを有する。保護材本体２０Ｂは樹脂製の薄肉で形成されており、内部は空洞になっている。保護材本体２０Ｂは、上端にはロードコーン４０の頂部４３を切断して設けられた上開口部２１を有しており、下端には下開口部２２（図３参照）を有する。上開口部２１と下開口部２２とは、側面２３に設けられた本体スリット２４により、連結されている。
【００３６】
なお、保護材本体２０Ｂの下側には、円柱状の鍔部２５及び正方形状のベース部２８が設けられている。本体スリット２４は、鍔部２５及びベース部２８にも連続して設けられている。また、保護材本体２０Ｂの側面２３には、本体スリット２４を略直交方向に跨いで保持部材２６が設けられている。保持部材２６としては、例えば、マジックテープ（登録商標）２７を用いることができる。
【００３７】
図５（Ａ）及び図５（Ｂ）に示すように、建設用仮設足場の保護材１０Ｂにおいては、本体スリット２４の一部に、水平部材１０４が貫通可能な貫通孔２９が設けられている。貫通孔２９は、水平部材１０４の外径より大きな内径を有しており、形状は、特に限定しない。
【００３８】
このような建設用仮設足場の保護材１０Ｂを製造するには、前述した第１実施形態の建設用仮設足場の保護材１０Ａの製造方法により建設用仮設足場の保護材１０Ａを製造した後に、本体スリット２４の一部に貫通孔２９を切り欠く。
【００３９】
また、このような建設用仮設足場の保護材１０Ｂを既設の建設用仮設足場１００Ｂに取り付ける際には、前述した第１実施形態の建設用仮設足場の保護材１０Ａの取付方法と同様にして建設用仮設足場の保護材１０Ｂを柱状部材１０１に取り付ける。そして、本体スリット２４を拡げた状態で建設用仮設足場の保護材１０Ｂを下降させて、水平部材１０４を貫通孔２９に位置決めする。
【００４０】
次に、本考案の第２実施形態の建設用仮設足場の保護材１０Ｂの作用効果について説明する。
本実施形態の建設用仮設足場の保護材１０Ｂは、保護材本体２０Ｂの側面２３に、建設用仮設足場１００Ｂの水平部材１０４が貫通可能な貫通孔２９を有する。このため、柱状部材１０１の下端部に水平部材１０４を有する場合でも、建設用仮設足場１００Ｂの設置後に、簡易な構造で、ジャッキ部１０２に歩行者や作業者等がぶつかるのを防止する建設用仮設足場の保護材１０Ｂを設置することができる。
【００４１】
また、本実施形態の建設用仮設足場の保護材１０Ｂでは、貫通孔２９が、本体スリット２４に設けられているので、水平部材１０４を有する建設用仮設足場１００Ｂの設置後に、建設用仮設足場の保護材１０Ｂを容易に取り付けることができる。
【００４２】
（第３実施形態）
次に、本考案に係る第３実施形態の建設用仮設足場の保護材について、図面を用いて説明する。図６（Ａ）は本考案に係る第３実施形態の建設用仮設足場の保護材の正面図であり、図６（Ｂ）は平面図である。なお、以下の説明において、前述した第１実施形態の建設用仮設足場の保護材１０Ａ及び第２実施形態の建設用仮設足場の保護材１０Ｂと共通する部位には同じ符号を付して、重複する説明を省略することとする。
【００４３】
図６（Ａ）及び図６（Ｂ）に示すように、第３実施形態の建設用仮設足場の保護材１０Ｃは、柱状部材１０１の下端部に設けられているジャッキ部１０２の上側に１本の水平部材１０４が設けられている建設用仮設足場１００Ｃ（図４においてかっこ書きで表示）においてジャッキ部１０２を保護するのに用いることができる保護材本体２０Ｃを有する。
【００４４】
そして、この建設用仮設足場の保護材１０Ｃは、前述した第２実施形態の建設用仮設足場の保護材１０Ｂにおいて、保護材本体２０Ｃの側面２３に、建設用仮設足場の水平部材１０４が貫通可能な別の貫通孔２９ａを本体スリット２４とは個別に設けた場合である。この場合には、貫通孔２９ａと下開口部２２とを連絡する水平部材用スリット３１が設けられている。なお、水平部材用スリット３１にも保持部材２６を設けることもできる。
【００４５】
本実施形態の建設用仮設足場の保護材１０Ｃでは、本体スリット２４を拡げて柱状部材１０１に取り付けた後に、建設用仮設足場の保護材１０Ｃを下降させる。このとき、貫通孔２９と下開口部２２とを連絡する水平部材用スリット３１を設けたので、水平部材用スリット３１を通って貫通孔２９に水平部材１０４を設置することができ、水平部材１０４を有する建設用仮設足場１００Ｃの設置後に、建設用仮設足場の保護材１０Ｃを容易に取り付けることができる。
【００４６】
（第４実施形態）
次に、本考案に係る第４実施形態の建設用仮設足場の保護材について、図面を用いて説明する。図７は、本考案に係る第４実施形態の建設用仮設足場の保護材の斜視図である。また、図８（Ａ）は図７中矢印Ａ方向から見た正面図であり、図８（Ｂ）は図７中矢印Ｂ方向から見た背面図であり、図８（Ｃ）は平面図である。なお、以下の説明において、前述した第１実施形態の建設用仮設足場の保護材１０Ａ〜第３実施形態の建設用仮設足場の保護材１０Ｃと共通する部位には同じ符号を付して、重複する説明を省略することとする。
【００４７】
図７に示すように、第４実施形態の建設用仮設足場の保護材１０Ｄは、柱状部材１０１の下端部に設けられているジャッキ部１０２の上側に、２本の水平部材１０４が設けられている建設用仮設足場１００Ｄにおいて、ジャッキ部１０２を保護するのに用いることができる保護材本体２０Ｄを有する。なお、ここでは、２本の水平部材１０４が同じ方向に直線的に設けられている場合を例示するが、２本の水平部材１０４が直交する場合にも同様に適用できる。
【００４８】
本実施形態の建設用仮設足場の保護材１０Ｄは、第２実施形態の建設用仮設足場の保護材１０Ｂに、貫通孔２９に加えてさらに第２の貫通孔３２を設けた。第２の貫通孔３２は、本体スリット２４とは別個に形成され、第２の貫通孔３２と下開口部２２とを連絡する水平部材用スリット３１を設けた。なお、２本の水平部材１０４が異なる高さ位置に設けられている場合には、貫通孔２９と第２の貫通孔３２とは、上下方向に異なる位置に設けることができる。
【００４９】
このような建設用仮設足場の保護材１０Ｄは、前述した第２実施形態の建設用仮設足場の保護材１０Ｂの製造方法及び第３実施形態の建設用仮設足場の保護材１０Ｃの製造方法を併用することにより製造される。すなわち、第２実施形態の建設用仮設足場の保護材１０Ｂを製造した後に、さらに第２の貫通孔３２を切り欠き、第２の貫通孔３２と下開口部２２とを連絡する水平部材用スリット３１を設ける。
これにより、容易に建設用仮設足場の保護材１０Ｄを製造することができる。
【００５０】
また、このような建設用仮設足場の保護材１０Ｄを既設の建設用仮設足場１００Ｄに取り付ける際には、前述した第２実施形態の建設用仮設足場の保護材１０Ｂの取付方法と同様にして建設用仮設足場の保護材１０Ｄを柱状部材１０１に取り付ける。そして、本体スリット２４及び水平部材用スリット３１を拡げた状態で建設用仮設足場の保護材１０Ｄを下降させて、２本の水平部材１０４をそれぞれ貫通孔２９及び第２の貫通孔３２に位置決めする。
これにより、建設用仮設足場１００Ｄの設置後に、建設用仮設足場の保護材１０Ｄを容易に取り付けることができる。
【００５１】
（第５実施形態）
次に、本考案に係る第５実施形態の建設用仮設足場の保護材について、図面を用いて説明する。図９（Ａ）は本考案に係る第５実施形態の建設用仮設足場の保護材の正面図であり、（Ｂ）は保持部材の正面図であり、（Ｃ）は平面図である。なお、以下の説明においては、前述した第１実施形態の建設用仮設足場の保護材１０Ａ〜第４実施形態の建設用仮設足場の保護材１０Ｄと共通する部位には同じ符号を付して、重複する説明を省略することとする。
【００５２】
図９に示すように、第５実施形態の建設用仮設足場の保護材１０Ｅは、第１実施形態の建設用仮設足場の保護材１０Ａと同様、柱状部材１０１の下端部に設けられているジャッキ部１０２を保護するのに用いることができる保護材本体２０Ｅを有する。
【００５３】
本実施形態の建設用仮設足場の保護材１０Ｅは、保持部材２６として、マジックテープ（登録商標）２７の替わりに、保持部品３７を備える。また、保護材１０Ｅは、側面２３に貫通孔３７３を設けている。貫通孔３７３は２つでセットになっており、２つの貫通孔３７３は、本体スリット２４の両側の近傍に形成されている。図９（Ａ）は、セットになった２つ貫通孔３７３は、本体スリット２４の上側と下側の近傍に設けた例を示している。
図９（Ｂ）に示すように、保持部品３７は、例えば、保護材本体２０Ｅと同じ材料の弾性体で形成され、矩形板状の基部３７１と基部３７１の平面部に設植された、２つの貫通孔３７３にそれぞれ挿通される２つの挿通部３７２とを備える。挿通部３７２は、基部３７１側が貫通孔３７３の内径と略同じかそれよりも若干大きい外径を有する円柱部と、円柱部の先端に形成され、挿通部３７２の内径よりも大きい外径の底円を有する円錐部とを備える。円錐部の頂点を挿通部３７２に差し込み、強い力を円錐部に作用させることにより、円錐部を挿通部３７２に通すことができる。円錐部が通った貫通孔３７３は、円錐部の底面により容易には抜けなくなるが、強い力で基部３７１を引っ張ると、円錐部と挿通部３７２の弾性変形により、挿通部３７２が円錐部から容易に抜くことができる。
【００５４】
（第６実施形態）
次に、本考案に係る第６実施形態の建設用仮設足場の保護材について、図面を用いて説明する。図１０は本考案に係る第６実施形態の建設用仮設足場の保護材を取り付ける状態を示す斜視図である。なお、以下の説明においては、前述した第１実施形態の建設用仮設足場の保護材１０Ａ〜第５実施形態の建設用仮設足場の保護材１０Ｅと共通する部位には同じ符号を付して、重複する説明を省略することとする。
【００５５】
本実施形態の建設用仮設足場の保護材１０Ｆは、保持部材２６として、マジックテープ（登録商標）２７の替わりに、保持部品３７ａを備える。保持部品３７ａは、例えば、保護材本体２０Ｆと同じ材料の弾性体で形成され、保持部品３７ａは、スリット２４の一方から矩形板状の基部３７１が延在し、その先端付近に挿通部３７２を備える。また、スリット２４の他方には、貫通孔３７３が設けられている。側面２３に貫通孔３７３を設けている。１つの貫通孔３７３は１つ保持部材２６でセットになっており、図１０では、上下２つのセットとなっている。２つの貫通孔３７３は、本体スリット２４の保持部品３７ａとは反対側の近傍に形成されている。
【００５６】
以上、本考案の建設用仮設足場の保護材１０Ａ、１０Ｂ、１０Ｃ、１０Ｄについて、具体的な実施形態に基づいて説明してきたが、本考案は、前述した具体的な実施形態に限定されるものでなく、本考案の技術思想を逸脱しない範囲における様々な変形及び改良を行ってもよいことは言うまでもない。
例えば、前述した実施形態においては、貫通孔２９及び第２の貫通孔３２が円形の場合について例示したが、上下方向に長い長円形にすることもできる。この場合には、貫通孔２９及び第２の貫通孔３２を設ける高さ位置を、水平部材１０４に合わせて厳密に設定する必要がなくなり、製造が容易になる。
【００５７】
また、前述した実施形態においては、本体スリット２４を閉じた状態に保持する保持部材２６として、マジックテープ（登録商標）２７を用いた場合について例示したが、これに限定するものではなく、そのほかの保持部材にも適用可能である。
【００５８】
このように、技術思想を逸脱しない範囲における様々な変形や改良を行ったものも本考案の技術的範囲に含まれるものであり、そのことは、当業者にとって、実用新案登録請求の範囲の記載から明らかである。
【符号の説明】
【００５９】
１０Ａ、１０Ｂ、１０Ｃ、１０Ｄ、１０Ｅ、１０F  建設用仮設足場の保護材
２０Ａ、２０Ｂ、２０Ｃ、２０Ｄ  保護材本体
２１  上開口部
２２  下開口部
２３  側面
２４  本体スリット
２５  鍔部
２６  保持部材
２８  ベース部
２９  貫通孔
２９ａ  別の貫通孔
３１  水平部材用スリット
４０  ロードコーン
１００Ａ、１００Ｂ、１００Ｃ、１００Ｄ  建設用仮設足場
１０１  柱状部材
１０３  載置面
１０４  水平部材
【図１】
0003213015.tif 000003
【図２】
0003213015.tif 000004
【図３】
0003213015.tif 000005
【図４】
0003213015.tif 000006
【図５】
0003213015.tif 000007
【図６】
0003213015.tif 000008
【図７】
0003213015.tif 000009
【図８】
0003213015.tif 000010
【図９】
0003213015.tif 000011
【図１０】
0003213015.tif 000012